(57)【要約】【課題】引き戸用の垂直枠材を転用して折れ戸の戸本体を構成することができるようにする。【解決手段】戸本体１Ａ，１Ｂの左右の垂直枠材２ａ〜３ｂは、内側に面材嵌合用溝１８を備えると共に外側に戸当たり材嵌合用溝２０を備えた同一断面形状のものとし、両戸本体１Ａ，１Ｂの互いに連結される側の隣接垂直枠材２ｂ，３ａの戸当たり材嵌合用溝２０にはヒンジ部材２６ａ，２６ｂが係合され、この両ヒンジ部材２６ａ，２６ｂの被嵌合部２８に対してカバー部材２９の嵌合部３０ａ，３０ｂがそれぞれ垂直軸心の周りで相対回転自在に嵌合し、前記隣接垂直枠材２ｂ，３ａの端部に取り付けられたエンド部材３１ａ，３１ｂには、ヒンジ部材２６ａ，２６ｂとカバー部材２９との間の相対回転軸心と同心状で互いに咬合する平歯車部分３７ａ，３７ｂが設けられた構成。【選択図】図１
2006241767.tif 000002
【特許請求の範囲】
【請求項１】
２枚の戸本体を互いに折り畳み自在に連結して成る折れ戸であって、２本のヒンジ部材、両戸本体間のカバー部材、及び一対のエンド部材を備え、両戸本体の周囲枠材の内、左右の垂直枠材は、内側にガラス板などの周辺を嵌合させる溝を備えると共に外側に戸当たり材嵌合用溝を備えた同一断面形状のものが使用され、前記ヒンジ部材の各々は、両戸本体の互いに連結される側の隣接垂直枠材の外側の戸当たり材嵌合用溝に全長にわたって係合されたもので、それぞれ垂直な被嵌合部を有し、前記カバー部材は、左右両側辺に前記ヒンジ部材の垂直な被嵌合部に対してそれぞれ垂直軸心の周りで相対回転自在に嵌合する嵌合部を備え、前記一対のエンド部材は、前記隣接垂直枠材の上下両端の内の少なくとも何れか一方に取り付けられたもので、前記２本のヒンジ部材とカバー部材との間の相対回転垂直軸心と同心状で互いに咬合する平歯車部分を備えている、折れ戸。
【請求項２】
一対のエンド部材は、前記隣接垂直枠材の上下両端それぞれに取り付けられたもので、２本のヒンジ部材及びカバー部材が上側一対のエンド部材と下側一対のエンド部材との間で挟まれて保持され、上側一対のエンド部材と下側一対のエンド部材との内、何れか一方に前記平歯車部分が設けられている、請求項１に記載の折れ戸。
【請求項３】
上側一対のエンド部材と下側一対のエンド部材との内、何れか一方は、前記隣接垂直枠材の戸当たり材嵌合用溝側からの水平方向のネジ止めにより取り付けられ、他方の一対のエンド部材は、前記隣接垂直枠材の端部に垂直方向のネジ止めにより取り付けられている、請求項２に記載の折れ戸。
【請求項４】
上側一対のエンド部材にのみ前記平歯車部分が設けられている、請求項２または３に記載の折れ戸。
【発明の詳細な説明】
【技術分野】
【０００１】
本発明は、２枚の戸本体を互いに折り畳み自在に連結して成る折れ戸に関するものである。
【背景技術】
【０００２】
この種の折れ戸の一般的な構造は、開示された特許文献を例示するまでもなく、１本の垂直支軸を備えた平蝶番で２枚の戸本体を互いに折り畳み自在に連結するものである。この構成は、平蝶番を取り付けることができる面さえ確保できるならば、例えば引き戸に使用されるような戸本体を利用して折れ戸を構成することも簡単にできるが、展開状態において互いに対面隣接状態にあった２枚の戸本体の隣接側辺の端面が折り畳み状態において正面側に露出する、この折り畳み状態において２枚の戸本体の隣接側辺間に隙間が生じ易い、そして折り畳み状態から展開状態に切り換える操作のときに２枚の戸本体の隣接側辺の端面間で指先を挟む恐れがある、などの問題点がある。
【発明の開示】
【発明が解決しようとする課題】
【０００３】
上記のような問題点を解消することができる折れ戸として、２枚の戸本体間に垂直帯状の中間部材を介在させ、この中間部材の両側辺と２枚の戸本体とをそれぞれ垂直な回転軸心の周りに相対回転自在に連結する折れ戸の構成が考えられている。この構成を採用する場合、２枚の戸本体が左右対称形に開閉運動するように、２枚の戸本体それぞれに、並列する２つの垂直回転軸心と同心状に平歯車を固着して互いに咬合させる連動構造が同時に併用されるが、問題点は、引き戸などに利用されている一般的な戸本体をそのまま転用することができず、２枚の戸本体それぞれの隣接側辺部が特殊な構造の専用の戸本体を準備する必要があり、大幅なコストアップが免れないことにある。
【課題を解決するための手段】
【０００４】
本発明は上記のような従来の問題点を解消し得る折れ戸を提供することを目的とするものであって、その手段を後述する実施形態の参照符号を付して示すと、２枚の戸本体１Ａ，１Ｂを互いに折り畳み自在に連結して成る折れ戸であって、２本のヒンジ部材２６ａ，２６ｂ、両戸本体１Ａ，１Ｂ間のカバー部材２９、及び一対のエンド部材３１ａ，３１ｂを備え、両戸本体１Ａ，１Ｂの周囲枠材の内、左右の垂直枠材２ａ〜３ｂは、内側にガラス板などの周辺を嵌合させる溝１８を備えると共に外側に戸当たり材嵌合用溝２０を備えた同一断面形状のものが使用され、前記ヒンジ部材２６ａ，２６ｂの各々は、両戸本体１Ａ，１Ｂの互いに連結される側の隣接垂直枠材２ｂ，３ａの外側の戸当たり材嵌合用溝２０に全長にわたって係合されたもので、それぞれ垂直な被嵌合部２８を有し、前記カバー部材２９は、左右両側辺に前記ヒンジ部材２６ａ，２６ｂの垂直な被嵌合部２８に対してそれぞれ垂直な軸心Ｃの周りで相対回転自在に嵌合する嵌合部３０ａ，３０ｂを備え、前記一対のエンド部材３１ａ，３１ｂは、前記隣接垂直枠材２ｂ，３ａの上下両端の内の少なくとも何れか一方に取り付けられたもので、前記２本のヒンジ部材２６ａ，２６ｂとカバー部材２９との間の相対回転軸心Ｃと同心状で互いに咬合する平歯車部分３７ａ，３７ｂを備えた構成となっている。
【０００５】
上記構成の本発明を実施するについて、具体的には請求項２に記載のように、一対のエンド部材２２ａ，２２ｂ、３１ａ，３１ｂは、前記隣接垂直枠材２ｂ，３ａの上下両端それぞれに取り付け、２本のヒンジ部材２６ａ，２６ｂ及びカバー部材２９は上側一対のエンド部材３１ａ，３１ｂと下側一対のエンド部材２２ａ，２２ｂとの間で挟んで保持させ、上側一対のエンド部材３１ａ，３１ｂと下側一対のエンド部材２２ａ，２２ｂとの内、何れか一方に前記平歯車部分３７ａ，３７ｂを設けることができる。この場合、請求項３に記載のように、上側一対のエンド部材３１ａ，３１ｂと下側一対のエンド部材２２ａ，２２ｂとの内、何れか一方（下側一対のエンド部材２２ａ，２２ｂ）は、前記隣接垂直枠材２ｂ，３ａの戸当たり材嵌合用溝２０側からの水平方向ネジ２５により取り付けるようにし、他方の一対のエンド部材（上側一対のエンド部材３１ａ，３１ｂ）は、前記隣接垂直枠材２ｂ，３ａの端部に垂直方向ネジ３６により取り付けるように構成することができる。更に、請求項４に記載のように、上側一対のエンド部材３１ａ，３１ｂにのみ前記平歯車部分３７ａ，３７ｂを設けることができる。
【発明の効果】
【０００６】
上記構成の本発明に係る折れ戸によれば、次のような格別の作用効果が期待できる。即ち一般的な引き戸は、その周囲枠材の内、左右の垂直枠材として、内側にガラス板などの周辺を嵌合させる溝を備えると共に外側に戸当たり材嵌合用溝を備えた同一断面形状のものが使用されているのであるが、本発明によれば当該一般的な引き戸用の戸本体をそのまま利用し、これに２本のヒンジ部材、両戸本体間のカバー部材、及び一対のエンド部材を加えるだけで折れ戸を構成することができ、しかもその折れ戸は、２枚の戸本体を単純に平蝶番で折り畳み自在に連結したものではなく、両戸本体間のカバー部材によって、折り畳み状態において両戸本体の隣接側辺の端面が露出したり、両戸本体の隣接側辺間に隙間が生じたりするのを防止できると共に、折り畳み状態から展開状態に切り換える操作のときに２枚の戸本体の隣接側辺の端面間で指先を挟むような事故が生じるのを防止できる構成の折れ戸として便利に活用できるものである。勿論、一対のエンド部材が備える平歯車部分によって、折り畳み展開動作時の２枚の戸本体は確実に左右対称形に維持させることができ、折れ戸の折り畳み展開動作を円滑且つ確実に行わせることができるものである。
【０００７】
尚、請求項２に記載の構成によれば、２本のヒンジ部材は、２枚の戸本体の隣接垂直枠材の外側の戸当たり材嵌合用溝に上下何れかの一端から差し込み、カバー部材は、その左右両側辺の嵌合部を前記２本のヒンジ部材の被嵌合部に上下何れかの一端から差し込むだけで、最終的にはこれら２本のヒンジ部材とカバー部材とを上側一対のエンド部材と下側一対のエンド部材との間で挟んで保持させることができるので、上側一対のエンド部材と下側一対のエンド部材とを戸本体に対してネジ止めなどにより止着するだけで済み、組み立てが簡単容易に行え、一層のコストダウンを図ることができる。
【０００８】
また、請求項３に記載の構成によれば、上側一対のエンド部材と下側一対のエンド部材との内、何れか一方の戸本体に対する止着用ネジを外側に露出させないで隠すことができる。更に請求項４に記載の構成によれば、一対のエンド部材の互いに咬合する平歯車部分に異物が噛み込むような不都合を少なくできる。尚、請求項３に記載の構成を採用する場合、下側一対のエンド部材の方を、前記隣接垂直枠材の戸当たり材嵌合用溝側からの水平方向のネジ止めにより取り付けるように構成するのが、仮に止着用ネジが弛んでも当該ネジが外れ落ちることがない点で好ましい。
【発明を実施するための最良の形態】
【０００９】
以下に本発明の具体的実施例を添付図に基づいて説明すると、１Ａ，１Ｂは折れ戸を構成する２枚の戸本体であって、引き戸用の戸本体をそのまま転用したものであり、それぞれ左右２本の垂直枠材２ａ，２ｂ、３ａ，３ｂと上下２本の水平枠材４ａ，４ｂ、５ａ，５ｂとで構成される矩形枠にガラス板などの面材６，７を嵌め込んで構成されている。而して、一方の戸本体１Ａの外側の垂直枠材２ａの上端は、折れ戸吊下用ガイドレール８の一端部に垂直吊下軸９により吊り下げられ、当該垂直枠材２ａの下端には、前記垂直吊下軸９と同心状の垂直ピン１０が下向きに突設され、この垂直ピン１０の下端が床面上に付設された受け座１１に自転のみ可能に支持されている。他方の戸本体１Ｂの外側の垂直枠材３ｂの上端は、同心状に軸支された左右一対の水平軸ローラー１２により前記折れ戸吊下用ガイドレール８に滑動自在に嵌合支持された折れ戸吊下用スライダー１３に垂直吊下軸１４を介して吊り下げられている。垂直吊下軸９，１４と各戸本体１Ａ，１Ｂとの間には、従来周知のように各戸本体１Ａ，１Ｂの吊下高さ調整機構１５，１６を設けることができる。
【００１０】
尚、図は、実際にクローゼットなどの収納空間の開口部の開閉に使用される折れ戸を縮小して示すものではなく、実際に使用される垂直枠材２ａ〜３ｂ、水平枠材４ａ〜５ｂ、及び面材６，７を使用して構成した小さな模型の折れ戸を縮小して示している。従って実際には、各戸本体１Ａ，１Ｂにおける上下２本の水平枠材４ａ，４ｂ間、及び５ａ，５ｂ間には、面材６，７を上下複数枚に分断する中間水平枠材が配設されるのが一般的である。
【００１１】
各戸本体１Ａ，１Ｂの垂直枠材２ａ〜３ｂには、アルミニウム材などから成形された横断面凸形の中空柱状の１種類の型材が利用されている。この型材は、図４に示すように、左右両側に張り出す張出部１７と、この張出部１７によって形成された巾広側面の巾方向の中央位置に形成された面材嵌合溝１８と、反対側の側面から突出する左右一対の鉤形突条１９によって形成された戸当たり材嵌合用溝２０とを有するもので、この型材を所要長さに切断し、面材嵌合溝１８が内側になるように配置して垂直枠材２ａ〜３ｂとしている。勿論、図示していないが、水平枠材４ａ〜５ｂとのネジ止めや、吊下高さ調整機構１５，１６の取り付けなどのために、垂直枠材２ａ〜３ｂの端部において、戸当たり材嵌合用溝２０の底面となる壁部２１は切除されたり、当該壁部２１に貫通孔が設けられる。水平枠材４ａ〜５ｂは、特に断面形状が限定されるものではないが、垂直枠材２ａ〜３ｂとの結合により矩形枠が形成されたとき、垂直枠材２ａ〜３ｂの面材嵌合溝１８と連続する面材嵌合溝を備えるものでなければならない。
【００１２】
両戸本体１Ａ，１Ｂの互いに連結される側の隣接垂直枠材２ｂ，３ａの下端には、それぞれ下側エンド部材２２ａ，２２ｂが取り付けられる。これら下側エンド部材２２ａ，２２ｂは、隣接垂直枠材２ｂ，３ａの壁部２１の内側に沿って上向きに入り込む垂直取付板２３が一体に連設されたもので、当該垂直取付板２３には上下２つの水平方向ネジ孔２４が設けられており、隣接垂直枠材２ｂ，３ａの前記壁部２１を戸当たり材嵌合用溝２０側から水平に貫通される上下２本の水平方向ネジ２５を前記垂直取付板２３のネジ孔２４に螺合締結することにより取り付けられる。このように隣接垂直枠材２ｂ，３ａの下端に取り付けられた下側エンド部材２２ａ，２２ｂは、その底面と下側水平枠材４ｂ，５ｂの下側面とが面一になるように構成されている。
【００１３】
両戸本体１Ａ，１Ｂの隣接垂直枠材２ｂ，３ａには、その戸当たり材嵌合用溝２０を利用してそれぞれヒンジ部材２６ａ，２６ｂが取り付けられる。これらヒンジ部材２６ａ，２６ｂは、隣接垂直枠材２ｂ，３ａと同一長さのもので、左右両側辺に前記鉤形突条１９が嵌合する凹溝２７が全長にわたって連続するように形成され、この両側凹溝２７と前記鉤形突条１９とが嵌合するように隣接垂直枠材２ｂ，３ａの上端側より戸当たり材嵌合用溝２０に沿って挿入することにより取り付けられ、その下端は下側エンド部材２２ａ，２２ｂによって支持され、上端は隣接垂直枠材２ｂ，３ａの上端と面一になる。而して、両ヒンジ部材２６ａ，２６ｂは、上記のように隣接垂直枠材２ｂ，３ａの戸当たり材嵌合用溝２０に取り付けられた状態において、一対の鉤形突条１９の中間に位置して外向きに開口する部分円柱状凹溝から成り且つ全長にわたって連続する被嵌合部２８を備えている。
【００１４】
両戸本体１Ａ，１Ｂの隣接垂直枠材２ｂ，３ａに取り付けられたヒンジ部材２６ａ，２６ｂ間には、隣接垂直枠材２ｂ，３ａと同一長さのカバー部材２９が介装される。このカバー部材２９は、横断面形状が偏平な矩形中空柱状のもので、その両端内側角部から斜め内向きに嵌合部３０ａ，３０ｂが一体に連設されたものである。この両嵌合部３０ａ，３０ｂは、カバー部材２９の全長にわたって連続するもので、両ヒンジ部材２６ａ，２６ｂの被嵌合部２８内に、当該被嵌合部２８の垂直軸心の周りで相対回転自在に嵌合するものである。而して、このカバー部材２９は、ヒンジ部材２６ａ，２６ｂの上端側より被嵌合部２８内に嵌合部３０ａ，３０ｂを挿入することにより取り付けられ、その下端は下側エンド部材２２ａ，２２ｂによって支持され、上端はヒンジ部材２６ａ，２６ｂの上端（隣接垂直枠材２ｂ，３ａの上端）と面一になる。
【００１５】
上記のように両戸本体１Ａ，１Ｂの隣接垂直枠材２ｂ，３ａにヒンジ部材２６ａ，２６ｂを取り付けると共に両ヒンジ部材２６ａ，２５ｂ間にカバー部材２９を介装したならば、隣接垂直枠材２ｂ，３ａの上端に上側エンド部材３１ａ，３１ｂが取り付けられる。この上側エンド部材３１ａ，３１ｂの取り付けのために、隣接垂直枠材２ｂ，３ａの上端部にはＬ形取付金具３２が取り付けられている。このＬ形取付金具３２は、隣接垂直枠材２ｂ，３ａの上端から当該隣接垂直枠材２ｂ，３ａ内に挿入されて面材嵌合溝１８を形成する壁部に上下２本の水平方向ネジ（上側水平枠材４ａ，５ａと隣接垂直枠材２ｂ，３ａとの結合用ネジを兼用できる）により固着される垂直板部３３ａと、この取り付け状態において上面が隣接垂直枠材２ｂ，３ａの上端と面一になる水平板部３３ｂとから成り、この水平板部３３ｂには、その長さ方向２箇所に垂直な貫通ネジ孔３４が設けられている。上側エンド部材３１ａ，３１ｂは、隣接垂直枠材２ｂ，３ａの上端に重ねた状態で、当該上側エンド部材３１ａ，３１ｂの取付孔３５を下向きに貫通して前記Ｌ形取付金具３２の水平板部３３ｂにおける貫通ネジ孔３４に螺合締結される２本の垂直方向ネジ３６により取り付けられる。
【００１６】
隣接垂直枠材２ｂ，３ａの上端に取り付けられた上側エンド部材３１ａ，３１ｂは、その上面が各戸本体１Ａ，１Ｂにおける上側水平枠材４ａ，５ａの上面と面一になるように構成されている。また、一対のヒンジ部材２６ａ，２６ｂとカバー部材２９とは、その上下両端が、隣接垂直枠材２ｂ，３ａの上下両端に取り付けられた上下各エンド部材３１ａ，２２ａ及び３１ｂ，２２ｂ間で挟まれて保持される。
【００１７】
上側エンド部材３１ａ，３１ｂには、これら上側エンド部材３１ａ，３１ｂの下側に位置するヒンジ部材２６ａ，２６ｂの被嵌合部２８とカバー部材２９の嵌合部３０ａ，３０ｂとの間の相対回転軸心Ｃと同心状で互いに咬合する平歯車部分３７ａ，３７ｂが一体に連設されている。これら平歯車部分３７ａ，３７ｂは、図３Ａに示すように両戸本体１Ａ，１Ｂが連続一平面を形成する展開状態（開口部を閉鎖する閉じ状態）にあるときの両戸本体１Ａ，１Ｂの前記相対回転軸心Ｃを通る仮想垂直面Ｓから、両戸本体１Ａ，１Ｂが折り畳まれるときの戸本体突出側とは反対側の領域にのみ形成され、当該仮想垂直面Ｓから、両戸本体１Ａ，１Ｂが折り畳まれるときの戸本体突出側には、互いに当接して両戸本体１Ａ，１Ｂが前記仮想垂直面Ｓから反対側に屈曲するのを阻止する直線状端面３８が形成されている。
【００１８】
尚、下側エンド部材２２ａ，２２ｂには、ヒンジ部材２６ａ，２６ｂの下端とカバー部材２９の嵌合部３０ａ，３０ｂの下端とを支持する領域から突出してカバー部材２９の本体（嵌合部３０ａ，３０ｂを除いた部分）の下側に位置する突出部分３９が設けられているが、この突出部分３９は僅かに一段低く形成され、カバー部材２９との間の摩擦抵抗を少なくしている。また、この突出部分３９の先端は、上側エンド部材３１ａ，３１ｂに連設した平歯車部分３７ａ，３７ｂから歯部を切除した形状に相当する円弧形端面３９ａと前記直線状端面３８に相当する直線状端面３９ｂとから構成されている。
【００１９】
以上のように構成された本発明の折れ戸においては、図１、図２Ａ、及び図３Ａに示すように、両戸本体１Ａ，１Ｂが連続一平面を形成する展開状態（開口部を閉鎖する閉じ状態）にあるとき、両戸本体１Ａ，１Ｂが垂直吊下軸９，１４の周りで内側へ回動することは上下両エンド部材３１ａ，３１ｂ、２２ａ，２２ｂの直線状端面３８，３９ｂの当接により阻止されているので、係る状態から両戸本体１Ａ，１Ｂの隣接垂直枠材２ｂ，３ａを手前に引き出すように操作しながら戸本体１Ｂの外側垂直枠材３ｂを折れ戸吊下用ガイドレール８に沿って開動方向に移動させると、両戸本体１Ａ，１Ｂが外側へ回動しながら互いに折り畳まれることになる。尚、この両戸本体１Ａ，１Ｂの折り畳み動作を確実且つ円滑に行わせるために、例えば垂直ピン１０を受け座１１に対して自転できないように嵌合させると共に、戸本体１Ａは当該垂直ピン１０に対して相対回転可能に支持させ、この垂直ピン１０と戸本体１Ａとの間に、戸本体１Ａを外向きに回動させるように付勢する捩じりコイルスプリングを介装することができる。
【００２０】
上記のように戸本体１Ａ，１Ｂを折り畳み動作させるとき、両戸本体１Ａ，１Ｂにそれぞれ固着されていて且つ互いに咬合する上側エンド部材３１ａ，３１ｂの平歯車部分３７ａ，３７ｂの存在により、両戸本体１Ａ，１Ｂの垂直吊下軸９，１４の周りの回転角が同一になるように規制され、両戸本体１Ａ，１Ｂは左右対称形に折り畳まれることになり、カバー部材２９は常に折れ戸吊下用ガイドレール８と平行な姿勢を保つように、両戸本体１Ａ，１Ｂ側のヒンジ部材２６ａ，２６ｂに対して相対回転中心Ｃの周りで相対回転することになる。
【００２１】
尚、図２及び図３に示すように、両戸本体１Ａ，１Ｂにおける外側の垂直枠材２ａ，３ｂの戸当たり材嵌合用溝２０には、必要に応じてゴムや合成樹脂から成形される戸当たり材４０を全長にわたって嵌合させておくことができる。また、戸本体１ａ，１ｂの左右両垂直枠材２ａ〜３ｂに形成した張出部１７は、これら垂直枠材２ａ〜３ｂが引き戸の左右両垂直枠材として利用されるときの操作部（手指引っ掛け部）として利用できるものである。勿論、垂直枠材２ａ〜３ｂが引き戸の左右両垂直枠材として利用されるときには、戸当たり材嵌合用溝２０には戸当たり材４０が全長にわたって嵌合される。
【図面の簡単な説明】
【００２２】
【図１】両戸本体が連続一平面を形成する展開状態にあるときの一部縦断正面図である。
【図２】Ａ図は両戸本体が連続一平面を形成する展開状態にあるときの横断平面図であり、Ｂ図は両戸本体が折り畳み動作途中にあるときの横断平面図である。
【図３】Ａ図は両戸本体が連続一平面を形成する展開状態にあるときの平面図であり、Ｂ図は両戸本体が折り畳み動作途中にあるときの平面図である。
【図４】主要部材を示す斜視図である。
【符号の説明】
【００２３】
１Ａ，１Ｂ    戸本体
２ａ〜３ｂ    垂直枠材
４ａ〜５ｂ    水平枠材
６，７    ガラス板などの面材
８    折れ戸吊下用ガイドレール
９，１４    垂直吊下軸
１０    垂直ピン
１１    受け座
１２    水平軸ローラー
１３    折れ戸吊下用スライダー
１８    面材嵌合溝
２０    戸当たり材嵌合用溝
２２ａ，２２ｂ    下側エンド部材
２３    垂直取付板
２５    水平方向ネジ
２６ａ，２６ｂ    ヒンジ部材
２７    凹溝
２８    被嵌合部
２９    カバー部材
３０ａ，３０ｂ    嵌合部
３１ａ，３１ｂ    上側エンド部材
３２    Ｌ形取付金具
３６    垂直方向ネジ
３７ａ，３７ｂ    平歯車部分
３８，３９ｂ    直線状端面
３９ａ    円弧形端面
４０    戸当たり材
【図１】
2006241767.tif 000003
【図２】
2006241767.tif 000004
【図３】
2006241767.tif 000005
【図４】
2006241767.tif 000006